(57)【要約】【課題】各種電子機器に用いられる導光ユニット及びこれを用いた光透過性タッチパネルに関し、上基板上面への押圧摺動操作を繰り返しても、表示素子に表示された表示の視認が良好に行えるものを目的とする。【解決手段】導光板１の上面に形成された樹脂層１３が導光板１の上面の凹凸を埋めて上面を平滑にすると共に、樹脂層１３の屈折率を導光板１の屈折率よりも小さくして導光ユニット１２を構成し、更にこの上方に上面に下導電層４が形成された下基板３と、下面に上導電層６が形成された上基板５を配置して光透過性タッチパネルを構成する。【選択図】  図１
2004185380.tif 000002
【特許請求の範囲】
【請求項１】
側方に配置された光源から入射した光を下方に反射する凹凸状のプリズム面が上面に形成された導光板と、上記導光板の上面に形成された樹脂層からなり、上記樹脂層が上記導光板の凹凸を埋めて上面を平滑にすると共に、上記樹脂層の屈折率が上記導光板の屈折率よりも小さな導光ユニット。
【請求項２】
導光板の下面に可視波長以下の凹凸を形成した請求項１記載の導光ユニット。
【請求項３】
導光板の下面に反射防止膜を形成した請求項１記載の導光ユニット。
【請求項４】
請求項１記載の導光ユニットの上方に、上面に下導電層が形成された下基板と、下面に上記下導電層と所定の間隙を空けて対向する上導電層が形成された上基板を配置した光透過性タッチパネル。
【請求項５】
下基板に代えて、樹脂層の上面に下導電層を形成した請求項４記載の光透過性タッチパネル。
【発明の詳細な説明】
【０００１】
【発明の属する技術分野】
本発明は、各種電子機器の入力操作に用いられる導光ユニット及びこれを用いた光透過性タッチパネルに関するものである。
【０００２】
【従来の技術】
近年、ＬＣＤ等の表示素子の前面に装着された光透過性タッチパネルを通して表示素子に表示された文字や記号、絵柄等の視認を行うと共に、その上面を操作して文字の選択や決定等を行う各種電子機器が増えているため、文字や記号等の表示の視認が良好に行える光透過性タッチパネルが求められている。
【０００３】
このような従来の光透過性タッチパネルについて、図２を用いて説明する。
【０００４】
図２は従来の光透過性タッチパネルの断面図であり、同図において、１は導光板であり、２はこの導光板１の上面に形成された凹凸を有するプリズム面である。
【０００５】
また、３はこの導光板１上に載置された光透過性の下基板で、この上面には、光透過性の下導電層４が形成され、下導電層４の両端には一対の下電極（図示せず）が設けられている。
【０００６】
そして、５は光透過性の上基板で、この下面には、光透過性の上導電層６が形成されている。
【０００７】
また、この上導電層６下面には、一対の上電極（図示せず）が下電極とは直交方向の両端に設けられると共に、上導電層６と所定の間隔を保つための複数のドットスペーサ（図示せず）が所定の間隔で形成されている。
【０００８】
そして、８は不織布やポリエステルフィルム等の額縁状のスペーサで、この上下面に塗布形成された粘着剤（図示せず）によって、上基板５と下基板３が外周を貼合わされ、上基板５下面の上導電層６と下基板３上面の下導電層４が所定の間隔を空けて対向するようにして、光透過性タッチパネルが構成されている。
【０００９】
以上の構成において、上電極と下電極が電子機器の検出回路（図示せず）に接続され、上基板５上面を指或いはペン等で押圧操作すると、上基板５が撓み、押圧された箇所の上導電層６が下導電層４に接触し、上電極間及び下電極間の抵抗比によって、この押圧された位置を検出するように構成されている。
【００１０】
また、左側方に配置された光源（図示せず）から導光板１に入射した光はこの導光板１上面のプリズム面２で下方に反射し、導光板１下方に配置されたＬＣＤ等の表示素子９を照光する。
【００１１】
そして、この照光した光が表示素子９下面の反射板（図示せず）等で反射し、その反射光が導光板１、下基板３、下導電層４、上導電層６、上基板５を順次透過して、上方から表示素子に表示された文字や記号等の表示の視認が良好に行えるように構成されている。
【００１２】
なお、この出願の発明に関連する先行技術文献情報としては、例えば、特許文献１が知られている。
【００１３】
【特許文献１】
特開平１２−３４７０４１号公報
【００１４】
【発明が解決しようとする課題】
しかしながら上記従来の導光ユニット及びこれを用いた光透過性タッチパネルにおいては、上基板５上面への押圧摺動操作を繰り返すと、プリズム面２の凸部が磨耗して、表示素子９を照光する光の量が減り、この表面が暗くなるため、表示素子９に表示された表示の視認が行い難くなるという課題があった。
【００１５】
本発明は、このような従来の課題を解決するものであり、上基板上面への押圧摺動操作を繰り返しても、表示素子に表示された表示の視認が良好に行える導光ユニット及びこれを用いた光透過性タッチパネルを提供することを目的とする。
【００１６】
【課題を解決するための手段】
上記目的を達成するために本発明は、以下の構成を有するものである。
【００１７】
本発明の請求項１に記載の発明は、導光板の上面に形成された樹脂層が導光板の上面の凹凸を埋めて上面を平滑にすると共に、樹脂層の屈折率を導光板の屈折率よりも小さくして導光ユニットを構成したものであり、この導光ユニット上に配置した光透過性タッチパネルの上基板上面でペン等の押圧摺動操作を繰り返しても、樹脂層が導光板上面の凹凸を埋めて上面を平滑にしているため、導光板の凸部が磨耗することがなく、下方に配置された表示素子の表面への照光が良好に行われると共に、表示素子からの反射光が導光板から樹脂層に向けて上方へ良好に透過することによって、表示素子に表示された表示の視認が良好に行える導光ユニットを得ることができるという作用を有する。
【００１８】
請求項２に記載の発明は、請求項１記載の発明において、導光板の下面に可視波長以下の凹凸を形成したものであり、導光板上面のプリズム面で下方に反射した可視光が導光板下面を透過しやすくなるため、この導光板下方に配置された表示素子の表面への照光を更に良好に行うことができるという作用を有する。
【００１９】
請求項３に記載の発明は、請求項１記載の発明において、導光板の下面に反射防止膜を形成したものであり、導光板上面のプリズム面で下方に反射した光が導光板下面をあまり反射されずに透過するため、この導光板下方に配置された表示素子の表面への照光を更に良好に行うことができるという作用を有する。
【００２０】
請求項４に記載の発明は、請求項１記載の導光ユニットの上方に、上面に下導電層が形成された下基板と、下面に上記下導電層と所定の間隙を空けて対向する上導電層が形成された上基板を配置して光透過性タッチパネルを構成したものであり、光透過性の上基板上面へのペン等の押圧摺動操作を繰り返しても、下基板と導光板の間に形成された樹脂層がこの導光板上面の凹凸を埋めて上面を平滑にしているため、この導光板の凸部が磨耗することがなく、下方に配置された表示素子の表面への照光が良好に行われることによって、表示素子に表示された表示の視認が良好に行える光透過性タッチパネルを得ることができるという作用を有する。
【００２１】
請求項５に記載の発明は、請求項４記載の発明において、下基板に代えて、上面に樹脂層を形成した導光板を配置したものであり、下基板が不要となるため、光透過性タッチパネルの薄型化を図ることができるという作用を有する。
【００２２】
【発明の実施の形態】
以下、本発明の実施の形態について、図１を用いて説明する。
【００２３】
なお、従来の技術の項で説明した構成と同一構成の部分には同一符号を付して、詳細な説明を簡略化する。
【００２４】
（実施の形態）
図１は本発明の一実施の形態による光透過性タッチパネルの断面図であり、同図において、１は光透過性で屈折率が約１．５のアクリル樹脂製の厚さ１ｍｍ前後の導光板である。
【００２５】
そして、２はこの導光板１の上面に深さ１０μｍ前後で１５０μｍ前後の間隔で形成された左側が緩い傾斜、右側が急な傾斜となった凹凸状のプリズム面である。
【００２６】
また、１３は光透過性で導光板１より小さな屈折率の樹脂層で、導光板１上面の凹凸を埋めて上面を平滑にするように印刷等によって形成されて、導光ユニット１２が構成されている。
【００２７】
そして、樹脂層１３には、屈折率が約１．３のフッ素系樹脂や屈折率が約１．０の多孔質のシリカなどのエアロゲルが用いられている。
【００２８】
また、３はガラスまたはアクリルやポリカーボネート樹脂、或いはこれらにポリエチレンテレフタレートやポリカーボネートフィルム等を貼合わせたもの等の光透過性の下基板で、この上面には、酸化インジウム錫や酸化錫等の光透過性の下導電層４がスパッタリング等によって形成され、この下導電層４の両端には一対の下電極（図示せず）が設けられている。
【００２９】
そして、樹脂層１３上面にこの下基板３下面が、アクリル系やポリエステル系樹脂等の熱可塑性樹脂からなる接着剤（図示せず）によって貼合わされている。
【００３０】
また、５はポリエチレンテレフタレートやポリカーボネートフィルム等の光透過性の上基板で、この下面には、下導電層４と同様の光透過性の上導電層６が形成されている。
【００３１】
そして、この上導電層６下面には、一対の上電極（図示せず）が下電極とは直交方向の両端に設けられると共に、上導電層６と所定の間隔を保つための複数のドットスペーサ（図示せず）がエポキシやシリコン等の絶縁材料によって所定の間隔で形成されている。
【００３２】
また、８は不織布やポリエステルフィルム等の額縁状のスペーサで、この上下面に塗布形成された粘着剤によって、上基板５と下基板３が外周を貼合わされ、上基板５下面の上導電層６と下基板３上面の下導電層４が所定の間隔を空けて対向するようにして、光透過性タッチパネルが構成されている。
【００３３】
以上の構成において、上電極と下電極が電子機器の検出回路（図示せず）に接続され、上基板５上面を指或いはペン等で押圧操作すると、上基板５が撓み、押圧された箇所の上導電層６が下導電層４に接触し、上電極間及び下電極間の抵抗比によって、この押圧された位置を検出するように構成されている。
【００３４】
なお、上基板５上面でペン等の押圧摺動操作を繰り返しても、下基板３と導光板１の間に形成された樹脂層１３がこの導光板１上面の凹凸を埋めて上面を平滑にしているため、この導光板１の凸部が磨耗することはなく、下方に配置された表示素子９の表面への照光が良好に行われる。
【００３５】
そして、左側方に配置された光源（図示せず）から導光板１に入射した光はこの導光板１上面のプリズム面２で下方に反射し、導光板１下方に配置されたＬＣＤ等の表示素子９を照光する。
【００３６】
また、この照光した光が表示素子９下面の反射板（図示せず）等で反射し、その反射光が導光板１、樹脂層１３、下基板３、下導電層４、上導電層６、上基板５を順次透過して、上方から表示素子９に表示された文字や記号等の表示の視認が良好に行えるように構成されている。
【００３７】
なお、この時、樹脂層１３の屈折率が導光板１の屈折率よりも小さいため、表示素子９からの反射光が導光板１から樹脂層１３に向けて上方へ良好に透過する。
【００３８】
このように本実施の形態によれば、導光板１の上面に形成された樹脂層１３が導光板１の上面の凹凸を埋めて上面を平滑にすると共に、樹脂層１３の屈折率を導光板１の屈折率よりも小さくして導光ユニット１２を構成し、更にこの上方に上面に下導電層４が形成された下基板３と、下面に上導電層６が形成された上基板５を配置して光透過性タッチパネルを構成することによって、光透過性の上基板５上面でペン等の押圧摺動操作を繰り返しても、樹脂層１３が導光板１上面の凹凸を埋めて上面を平滑にしているため、導光板１の凸部が磨耗することがなく、下方に配置された表示素子９の表面への照光が良好に行われると共に、表示素子９からの反射光が導光板１から樹脂層１３に向けて上方へ良好に透過することによって、表示素子９に表示された表示の視認が良好に行える導光ユニット１２及びこれを用いた光透過性タッチパネルを得ることができるものである。
【００３９】
また、導光板１下面に可視波長以下の凹凸を形成することによって、導光板１上面のプリズム面２で下方に反射した可視光が導光板１下面を透過しやすくなるため、この導光板１下方に配置された表示素子９の表面への照光を更に良好に行うことができる。
【００４０】
なお、導光板１の下面に屈折率の小さいフッ素系樹脂、シリカ、フッ化マグネシウム等の光透過性で反射率を減少させる反射防止膜を真空蒸着やスパッタリング等によって形成することによって、プリズム面２で下方に反射した光が導光板１下面をあまり反射されずに透過するため、この導光板１下方に配置された表示素子９の表面への照光を更に良好に行うことができる。
【００４１】
また、導光板１の下面に光透過性で上記屈折率の小さいものとチタニア、酸化インジウム錫等の屈折率の大きいものを複数交互に重ねて反射防止膜を形成しても、上記と同様に表示素子９の表面への照光を更に良好に行うことができる。
【００４２】
そして、下基板３に代えて、樹脂層１３の上面に下導電層４をスパッタリングや印刷等によって形成し、この下導電層４と上基板５の上導電層６が所定の間隙を空けて対向するように、スペーサ８を挟んで外周を貼合わせて光透過性タッチパネルを構成することによって、下基板３が不要となるため、光透過性タッチパネルの薄型化を図ることができる。
【００４３】
【発明の効果】
以上のように本発明によれば、上基板上面への押圧摺動操作を繰り返しても、表示素子に表示された表示の視認が良好に行える導光ユニット及びこれを用いた光透過性タッチパネルを得ることができるという有利な効果が得られる。
【図面の簡単な説明】
【図１】本発明の第１の実施の形態による光透過性タッチパネルの断面図
【図２】従来の実施の形態による光透過性タッチパネルの断面図
【符号の説明】
１  導光板
２  プリズム面
３  下基板
４  下導電層
５  上基板
６  上導電層
８  スペーサ
９  表示素子
１２  導光ユニット
１３  樹脂層
【図１】
2004185380.tif 000003
【図２】
2004185380.tif 000004